(57)【要約】      （修正有）【課題】複数を環状に設置する多層のＬＥＤ発光板を備え、光の照射方向を調整することができる方向を調整可能なＬＥＤ照明装置を提供する。【解決手段】方向を調整可能なＬＥＤ照明装置は、上、下層に重なる少なくとも２組の固定ハウジング１０を備え、各固定ハウジング１０には複数のＬＥＤ発光板２０を環状に設置し、上、下層に重なる固定ハウジング１０間には等距離に環状に配列する複数の位置合わせ孔を設置し、これにより上、下層に重なる固定ハウジング１０間は、さまざまな方向へ位置を調整でき、複数のボルトアセンブリ１２を、位置合わせ孔に通して固定し、こうして上、下層に重なる固定ハウジング１０は相対的に傾けて調整され、複数のＬＥＤ発光板２０は、さまざまな方向へと照射効果を発揮することができる。【選択図】図３
0003177659.tif 000002
【実用新案登録請求の範囲】
【請求項１】
照射方向調整可能なLED照明装置は、上、下層に重なる少なくとも２組の固定ハウジングを備え、前記各固定ハウジングには、複数のLED発光板を環状に設置し、
しかも、前記上、下層に重なる固定ハウジング間には、等距離に環状に配列する複数の位置合わせ孔を設置し、これにより、前記上、下層に重なる固定ハウジング間は、
相対的に傾けて位置を合わせることができ、また、複数のボルトアセンブリを、前記位置合わせ孔に通し、固定できることを特徴とする照射方向調整可能なLED照明装置。
【請求項２】
前記位置合わせ孔は、弧状長孔であることを特徴とする請求項１に記載の照射方向調整可能なLED照明装置。
【請求項３】
前記下層の固定ハウジング底端は、ベースと接続し、前記ベース上には、送風アセンブリを備え、前記送風アセンブリの出風口は、前記各LED発光板背面部の下方に位置し、これにより、上方へと、前記LED発光板背面部へ送風し、強制的に散熱させることを特徴とする請求項１に記載の照射方向調整可能なLED照明装置。
【請求項４】
前記ベース内には、中空槽を備え、前記送風アセンブリの進風口は、前記中空槽に通じ、しかも、前記ベース底部には、フィルターを設置し、
これにより、空気は、前記フィルターを通過後に前記中空槽内に入り、前記送風アセンブリに吸引されることを特徴とする請求項３に記載の照射方向調整可能なLED照明装置。
【請求項５】
前記送風アセンブリの出風口は、前記ベース上に設置する導流部に接続し、これにより、吹き出される空気は、前記ベース上に環状に設置される複数のLED発光板背面部へと送風され散熱が行われることを特徴とする請求項４に記載の照射方向調整可能なLED照明装置。
【請求項６】
前記各LED発光板の底端両側には、可動接続部をそれぞれ備え、前記固定ハウジングに可動状に設置し、
これにより、照射角度を調整することを特徴とする請求項１或いは請求項２或いは請求項３或いは請求項４或いは請求項５に記載の照射方向調整可能なLED照明装置。
【請求項７】
前記各LED発光板は、背面部に、連接片をそれぞれ設置し、前記各連接片反対端は、前記固定ハウジング中心位置へと延伸するスライド片にそれぞれ可動状に設置し、
前記スライド片は、それぞれスライド槽を備え、しかも前記スライド槽は、前記固定ハウジング中央に設置する定位棒上にそれぞれ嵌めて設置し、
これにより、前記スライド片は、前記定位棒に相対し、内側へ、或いは外側へとスライド移動することを特徴とする請求項６に記載の照射方向調整可能なLED照明装置。
【請求項８】
前記定位棒外部には、圧縮バネを設置し、前記圧縮バネ底端は、前記各スライド片上を弾性により圧迫することを特徴とする請求項７に記載の照射方向調整可能なLED照明装置。
【請求項９】
前記上、下層に重なる固定ハウジング外部はさらに、フェンスによりカバーすることを特徴とする請求項１に記載の照射方向調整可能なLED照明装置。
【請求項１０】
前記LED発光板は、配列するLEDにより組成し、外表面は、一層の保護層により覆うことを特徴とする請求項１に記載の照射方向調整可能なLED照明装置。
【考案の詳細な説明】
【技術分野】
【０００１】
本考案は照明装置の構造技術に関し、複数を環状に設置する多層のLED発光板を備え、光の照射方向を調整することができるLED照明装置に関する。
【背景技術】
【０００２】
一般に照明として用いられる高輝度LEDは、多くが発光板モジュールの形状で製造される。これにより、多数のLEDが発する光線を利用し、該LED発光板の照度と輝度を強化し、しかも発光板を通して、各LEDの定位と関連回路の配置を行う。実施時には、複数の発光板を組み合わせることで、LED照明装置は、特殊な光照射効果、輝度を発揮することができ、これにより各種状況における照明ニーズに対応することができる。
【０００３】
しかし、大部分のLED照明装置は、各発光板間の相対的な照射方向を、任意に調整することはできない。そのため、LED照明装置が発揮できる照明効果には限界がある。本考案は、従来のLED照明装置の上記した欠点に鑑みてなされたものである。
【考案の概要】
【考案が解決しようとする課題】
【０００４】
本考案が解決しようとする課題は、使用者が照射方向を調整できるという効果を備える他、消費電力が低く、長寿命などのLEDの長所を生かし、照明装置の応用範囲を広げることができる方向を調整可能なLED照明装置を提供することである。
【課題を解決するための手段】
【０００５】
上記課題を解決するため、本考案は下記の照射方向調整可能なLED照明装置を提供する。照射方向調整可能なLED照明装置は、上、下層に重なる少なくとも２組の固定ハウジングを備え、該各固定ハウジングには、複数のLED発光板を環状に設置し、該上、下層に重なる固定ハウジング間には、等距離に環状に配列する複数の位置合わせ孔を設置し、これにより、該上、下層に重なる固定ハウジング間は、さまざまな方向へ相対的に傾けて位置を合わせることができ、複数のボルトアセンブリを、該位置合わせ孔に通して固定でき、こうして、該重なる固定ハウジングと該LED発光板とは、使用情況に応じて、照射方向を調整でき、照明装置は、さまざまな照射効果を発揮できる。
【０００６】
該各LED発光板の底端は、該固定ハウジングに可動状に設置し、傾斜と照射角度を調整でき、照射角度を多様化する効果を達成できる。
【０００７】
従来の技術に比較すれば、本考案方向の調整可能なLED照明装置は、調整が容易で、優れた散熱性能を備えるという長所を備え、しかも任意の場所に設置でき、こうして各種スポーツ及びイベント場所、広場、救難場所、夜間施工現場などの各種環境に応用でき、さらに、インジケーター、バックライトの光源としても運用することができる。
【考案の効果】
【０００８】
本考案の方向を調整可能なLED照明装置は、使用者が照射方向を調整できるという効果を備える他、消費電力が低く、長寿命などのLEDの長所を生かし、照明装置の応用範囲を広げることができる。
【図面の簡単な説明】
【０００９】
【図１】本考案の立体分解図である。
【図２】本考案の上、下層固定ハウジングの分解図である。
【図３】本考案の組合せ前視図である。
【図４】本考案の照射方向の模式図である。
【図５】本考案の照射方向調整後の組合せ前視図である。
【図６】本考案の別種の照射方向の模式図である。
【図７】本考案第二実施例の立体分解図である。
【図８】本考案第二実施例の断面図である。
【図９】本考案第二実施例において、照射角度を調整する様子を示す模式図(一)である。
【図１０】本考案第二実施例において、照射角度を調整する様子を示す模式図(二)である。
【図１１】本考案において、方向及び角度を調整する様子を示す立体外観図である。
【図１２】本考案をスタンド上に設置する様子を示す立体外観図である。
【考案を実施するための形態】
【００１０】
本考案の技術内容、構造特徴、達成する目的を詳細に説明するため、以下に実施例を挙げ並びに図面を組み合わせて説明する。
【実施例】
【００１１】
図１、２に示すように、本考案照明装置は、上、下層に重なる少なくとも２組の固定ハウジング１０を備える。各固定ハウジング１０上には、複数のLED発光板２０を環状に設置する。
本実施例に示す各固定ハウジング１０上には、３枚のLED発光板２０を環状に設置する。LED発光板２０は、配列式のLEDにより組成し、外表面は、一層の保護層(図示なし)により覆い、防水の機能を兼ね備える。
【００１２】
固定ハウジング１０全体外観は、おおむね中空の筒状を呈する。上、下層に重なる固定ハウジング１０間には、等距離に環状に配列する複数の位置合わせ孔１１を設置する。
これにより、上、下層に重なる固定ハウジング１０間は、多方向に相対的に傾けて位置を合わせることができる。また、複数のボルトアセンブリ１２を、位置合わせ孔１１に通し、固定することができる。
【００１３】
位置合わせ孔１１は、一般の円孔、または図に示すような弧状の長孔である。或いは図示のように、下層の固定ハウジング１０上に設置する位置合わせ孔１１は円孔で、上層の固定ハウジング１０の相対位置に設置する位置合わせ孔１１は、弧状の長孔とすることができる。これにより、上、下層に重なる固定ハウジング１０間は、ボルトアセンブリ１２を取り外さなくとも、スライド移動の方式で、相対的に傾けることができる。
【００１４】
図３、４に示すように、本実施例は、固定ハウジング１０間の対応位置関係の旋回調整により、上層の固定ハウジング１０のLED発光板２０と、下層の固定ハウジング１０のLED発光板２０に、相対的に位置調整を行わせる。これにより、上層の３枚のLED発光板２０と下層の３枚のLED発光板２０は、互い違いに配列し、６方向へと外に向かい均一に照射する光線を形成する。
【００１５】
図５、６に示すように、上、下の固定ハウジング１０間の位置対応関係の旋回調整を通して、上層の固定ハウジング１０の３枚のLED発光板２０と、下層の固定ハウジング１０の３枚のLED発光板２０を、重ねて配列する。これにより、上、下層のLED発光板２０の光線は、特定の角度に集中して発せられる。こうして、照明装置は、比較的集中した照射光線を発することができる。
【００１６】
図７、８に示すように、本実施例は第一実施例に比べ、ベース３０、フェンス４０を増設する。最下層に位置する固定ハウジング１０底端とベース３０は接続する。ベース３０上には、送風アセンブリ３１を備える。
送風アセンブリ３１の出風口は、各LED発光板２０背面部の下方に位置する。しかも、ベース３０上には、固定フレーム３２を設置し、これにより最下層に位置する固定ハウジング１０固定する。
【００１７】
ベース３０内にはさらに、中空槽３３を設置する。送風アセンブリ３１の進風口は、中空槽３３に通じる。しかも、ベース３０底部には、フィルター３４を設置し、これにより空気は、フィルター３４を通過後に中空槽３３内に入り、送風アセンブリ３１に吸引される。送風アセンブリ３１の出風口は、ベース３０上に設置する導流部３５に接続する。これにより、吹き出される空気は、環状に設置される複数のLED発光板２０背面部へ向かい、強制的に散熱が行われる。こうして、LED発光板２０は、良好な散熱効果を達成することができる。
【００１８】
図８〜１０に示すように、実施時には、各LED発光板２０の底端両側には、可動接続部２１をそれぞれ備え、固定ハウジング１０に可動状に設置する。これにより、LED発光板２０は、可動接続部２１を軸心として、固定ハウジング１０に相対し、外側へと傾斜或いは内側へと収納され、固定ハウジング１０周囲において直立する。こうして、LED発光板２０の照射角度を調整する。
【００１９】
照射角度調整の便を図るため、各LED発光板２０前側に、プルレバー２２をそれぞれ設置し、背面部には、連接片２３をそれぞれ設置する。各連接片２３反対端は、固定ハウジング１０中心位置へと延伸するスライド片２４にそれぞれ可動状に設置する。スライド片２４は、それぞれスライド槽２５を備え、しかもスライド槽２５は、固定ハウジング１０中央に設置する定位棒１３上にそれぞれ嵌めて設置する。
これにより、スライド片２４は、定位棒１３に相対し、内側或いは外側へとスライド移動する。
【００２０】
使用者があるLED発光板２０上のプルレバー２２を押すか引くかすると、LED発光板２０背面部の連接片２３を通して、スライド片２４は、定位棒１３上において、内側或いは外側へとスライド移動する。
すなわち、LED発光板２０は、上記したように、可動接続部２１を軸心とし、固定ハウジング１０に相対して、外側へと傾斜或いは内側へと収納され、固定ハウジング１０周囲において直立する。
こうして、LED発光板２０の照射角度を調整することができ、照射角度多様化の効果を達成することができる。
【００２１】
この他、図に示すように、固定ハウジング１０中央に設置する定位棒１３外部には、圧縮バネ１４を設置する。圧縮バネ１４底端は、各スライド片２４上を弾性により圧迫する。
スライド片２４が、定位棒１３上において適当な位置までスライドした後に停止すると、圧縮バネ１４の弾性圧迫により、スライド片２４は、スライドが停止した位置で定位される。
こうして、LED発光板２０の角度を固定し、圧縮バネ１４の弾性圧迫により、LED発光板２０の調整定位後の揺れを防止する。
【００２２】
図１１に示すように、LED発光板２０の角度調整の実施例では、LED発光板２０を傾斜させて設置する以外に、垂直の角度に配置することもでき、これにより光線は、水平角度で遠方へと照射される。
すなわち、固定ハウジング１０上に環状に設置する複数のLED発光板２０が作動し発光すると、同時に、四方八方へと光を照射することができる。さらに、上、下層の複数のLED発光板２０を互い違いに、揃えて配列すれば、照明装置全体は、使用環境の必要に応じて、より多様な使用方式を達成することができる。
【００２３】
図に示すように、上、下固定ハウジング１０外部にはさらに、フェンス４０を嵌めて設置する。フェンス４０は、ベース３０上に設置し、固定フレーム３２により固定し、これにより、使用者が固定ハウジング１０及びLED発光板２０に誤って接触するのを防ぐ。
【００２４】
図１２に示すように、本実施例は第二実施例に比べ、ベース３０の底端にスタンド５０を設置する。スタンド５０上には、電源供給装置６０を設置する。スタンド５０底端は展開でき、任意の環境に簡単に設置することができる。実施時には、必要に応じて、高度調整器５１により、スタンド５０を上方へと延伸させ、高さを調整することができる。
電源供給装置６０は、スタンド５０上の比較的低い位置に設置し、電源供給の機能を備える他、スタンド５０に対して適当なウエイト効果を発揮することができる。
これにより、スタンド５０はぐらつきにくくなり、設置時の安定性が向上する。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２６】
１０  固定ハウジング
１１  位置合わせ孔
１２  ボルトアセンブリ
１３  定位棒
１４  圧縮バネ
２０  LED発光板
２１  可動接続部
２２  プルレバー
２３  連接片
２４  スライド片
２５  スライド槽
３０  ベース
３１  送風アセンブリ
３２  固定フレーム
３３  中空槽
３４  フィルター
３５  導流部
４０  フェンス
５０  スタンド
５１  高度調整器
６０  電源供給装置
【図１】
0003177659.tif 000003
【図２】
0003177659.tif 000004
【図３】
0003177659.tif 000005
【図４】
0003177659.tif 000006
【図５】
0003177659.tif 000007
【図６】
0003177659.tif 000008
【図７】
0003177659.tif 000009
【図８】
0003177659.tif 000010
【図９】
0003177659.tif 000011
【図１０】
0003177659.tif 000012
【図１１】
0003177659.tif 000013
【図１２】
0003177659.tif 000014